(57)【要約】【課題】  フラッシュを使用せずに室内や夜間での撮影を行なっても良質な写真を得ることのできるレンズ付きフイルムユニットを提供する。【解決手段】  レンズ付きフイルムユニットには、フイルム感度がＩＳＯ３２００の写真フイルム２２ａが装填されている。撮影モードを選択する操作部材１５を操作してノンフラッシュ夜景撮影モードを選択すると、連動機構２５が絞りを大絞り状態に、シャッタ速度を高速シャッタ状態にそれぞれ切り替え、かつストロボ装置２４の電源をオフさせる。。これにより、レンズ付きフイルムユニットの適正露出値ＥＶがＥＶ＜８となるので、室内等でストロボを使用せずに撮影を行なっても、奥行き感のある良質な写真を得ることができる。【選択図】        図４
2006276227.tif 000002
【特許請求の範囲】
【請求項１】
未露光の写真フイルムが予め装填され、撮影機構と、フラッシュ装置とが組み込まれたレンズ付きフイルムユニットにおいて、
前記写真フイルムとして、ＩＳＯ１６００以上のフイルム感度を有する写真フイルムを装填し、ＩＳＯ１００に換算したときの適正露出ＥＶが、ＥＶ＜８となるフラッシュ不発光モードを備えていることを特徴とするレンズ付きフイルムユニット。
【請求項２】
前記写真フイルムは、フイルム感度がＩＳＯ３２００以上であることを特徴とする請求項１記載のレンズ付きフイルムユニット。
【請求項３】
前記フラッシュ不発光モードにおける絞り値をＦ１としたときに、
２．８≦Ｆ１≦８
を満たすことを特徴とする請求項１または２記載のレンズ付きフイルムユニット。
【請求項４】
ＩＳＯ１６００以上のフイルム感度を有する未露光の写真フイルムが予め装填され、撮影機構と、フラッシュ装置と、絞りを大絞りと小絞りとの間で切り替える絞り切替手段と、フラッシュ装置の発光／不発光を切り替えるフラッシュ切替手段と、撮影モードを選択するために操作される撮影モード選択手段とを備えたレンズ付きフイルムユニットにおいて、
前記撮影モード選択手段の操作に連動して絞り切替手段の切り替え動作を行い、絞り切替手段を小絞りに設定した小絞り状態と、大絞りに設定した大絞り状態との少なくとも２つの絞り状態の間で切り替えることができ、かつ小絞り状態と大絞り状態のそれぞれにフラッシュが発光しない撮影モードが少なくとも１つ設けられていることを特徴とするレンズ付きフイルムユニット。
【請求項５】
ＩＳＯ１６００以上のフイルム感度を有する未露光の写真フイルムが予め装填され、撮影機構と、フラッシュ装置と、絞りを大絞りと小絞りとの間で切り替える絞り切替手段と、シャッタ速度を高速と低速との間で切り替えるシャッタ速度切替手段と、フラッシュ装置の発光／不発光を切り替えるフラッシュ切替手段と、撮影モードを選択するために操作される撮影モード選択手段とを備えたレンズ付きフイルムユニットにおいて、
撮影モード選択手段の操作に連動してシャッタ速度切替手段の切り替え動作を行い、絞り切替手段を小絞りに設定し、シャッタ速度切替手段を高速に設定した状態と、絞り切替手段を大絞りに設定し、シャッタ速度切替手段を低速に設定した状態との少なくとも２つの状態を切り替えることができ、かつそれぞれの状態にフラッシュが発光しない撮影モードが少なくとも１つ設けられていることを特徴とするレンズ付きフイルムユニット。
【請求項６】
前記写真フイルムは、フイルム感度がＩＳＯ３２００以上であることを特徴とする請求項４または５記載のレンズ付きフイルムユニット。
【請求項７】
前記絞り切替手段は、小絞り開口が形成され、前記撮影モード選択手段の操作に連動して撮影光路内に挿脱される絞り切替板からなり、この絞り切替板は、撮影光路内にあるときに絞りを小絞りに切り替え、撮影光路から退避したときに絞りを大絞りに切り替えることを特徴とする請求項４ないし６いずれか記載のレンズ付きフイルムユニット。
【請求項８】
前記絞り切替手段は、大絞りのときの絞り値をＦＬ、小絞りのときの絞り値をＦＳとしたときに、
２．８≦ＦＬ≦８
１３≦ＦＳ
を満たすことを特徴とする請求項４ないし７いずれか記載のレンズ付きフイルムユニット。
【請求項９】
前記シャッタ速度切替手段は、前記撮影モード選択手段の操作に連動してシャッタ羽根の動作軌跡上に挿脱されるシャッタ速度切替部材からなり、このシャッタ速度切替部材は、シャッタ羽根の動作軌跡上に挿入されたときにシャッタ羽根の動作を制限することによりシャッタ速度を高速にし、動作軌跡上から退避することにより低速に切り替えることを特徴とする請求項４ないし８いずれか記載のレンズ付きフイルムユニット。
【請求項１０】
前記シャッタ速度切替手段は、低速時のシャッタ速度をＳ１、高速時のシャッタ速度をＳ２としたときに、
１／３０ｓｅｃ≧Ｓ１≧１／６０ｓｅｃ
１／８０ｓｅｃ≧Ｓ２
を満たすことを特徴とする請求項５ないし９いずれか記載のレンズ付きフイルムユニット。
【請求項１１】
ＩＳＯ１６００以上のフイルム感度を有する未露光の写真フイルムが予め装填され、撮影機構と、フラッシュ装置と、絞りを大絞りと小絞りとの間で切り替える絞り切替手段と、シャッタ速度を高速と低速との間で切り替えるシャッタ速度切替手段と、フラッシュ装置の発光／不発光を切り替えるフラッシュ切替手段と、撮影モードを選択するために操作される撮影モード選択手段とを備えたレンズ付きフイルムユニットにおいて、
撮影モード選択手段の操作に連動して、絞り切替手段とシャッタ速度切替手段とフラッシュ切替手段の切替え動作を行い、
絞り切替手段をＦ１３より暗い小絞り状態に設定し、シャッタ速度切替手段を１／８０秒より速い高速状態に設定し、フラッシュを不発光状態に設定する第１撮影モードと、
絞り切替手段をＦ１３より暗い小絞り状態に設定し、シャッタ速度切替手段を１／８０秒より速い高速状態に設定し、フラッシュを発光状態に設定する第２撮影モードと、
絞り切替手段をＦ８より明るい大絞り状態に設定し、シャッタ速度切替手段を１／６０秒より遅い低速状態に設定し、フラッシュを不発光状態に設定する第３撮影モードの３つの撮影モードに切り替えられることを特徴とするレンズ付きフイルムユニット。
【請求項１２】
ＩＳＯ１６００以上のフイルム感度を有する未露光の写真フイルムが予め装填され、撮影機構と、フラッシュ装置と、絞りを大絞りと小絞りとの間で切り替える絞り切替手段と、シャッタ速度を高速と低速との間で切り替えるシャッタ速度切替手段と、フラッシュ装置の発光／不発光を切り替えるフラッシュ切替手段と、撮影モードを選択するために操作される撮影モード選択手段とを備えたレンズ付きフイルムユニットにおいて、
撮影モード選択手段の操作に連動して、絞り切替手段とシャッタ速度切替手段とフラッシュ切替手段の切替え動作を行い、
絞り切替手段をＦ１３より暗い小絞り状態に設定し、シャッタ速度切替手段を１／８０秒より速い高速状態に設定し、フラッシュを不発光状態に設定する第１撮影モードと、
絞り切替手段をＦ８より明るい大絞り状態に設定し、シャッタ速度切替手段を１／６０秒より遅い低速状態に設定し、フラッシュを発光状態に設定する第２撮影モードと、
絞り切替手段をＦ８より明るい大絞り状態に設定し、シャッタ速度切替手段を１／６０秒より遅い低速状態に設定し、フラッシュを不発光状態に設定する第３撮影モードの３つの撮影モードに切り替えられることを特徴とするレンズ付きフイルムユニット。
【請求項１３】
前記フラッシュ切替手段は、不発光状態のときにフラッシュ装置の電源をオフし、発光状態のときにフラッシュ装置の電源をオンさせることを特徴とする請求項４ないし１２いずれか記載のレンズ付きフイルムユニット。
【請求項１４】
前記フラッシュ切替手段は、不発光状態のときにストロボ装置の発光部の前面を遮光し、発光状態のときに発光部の前面を開放することを特徴とする請求項４ないし１２いずれか記載のレンズ付きフイルムユニット。
【発明の詳細な説明】
【技術分野】
【０００１】
本発明は、複数の撮影モードを備えたレンズ付きフイルムユニットに関する。
【背景技術】
【０００２】
各種販売されているレンズ付きフイルムユニットの一つに、高感度の写真フイルムを装填するとともに、シャッタ速度や絞りを可変にし、室内や夜間の撮影での背景の描写性能を向上させたものがある（例えば、特許文献１参照）。このレンズ付きフイルムユニットは、室内や夜間での撮影時に主要被写体にフラッシュをあてて十分な明るさを確保した上で、背景を写し込める仕様となっている。
【０００３】
高感度の写真フイルムが装填されたモード切替型のレンズ付きフイルムユニットとして、本出願人により製造販売されているレンズ付きフイルムユニット「Ｎｉｇｈｔ＆Ｄａｙ（商品名）」が知られている。このレンズ付きフイルムユニットは、日中屋外等の明るい場所での撮影に対応する日中撮影モード（ストロボ発光せず）と日中シンクロ撮影モード（ストロボ発光あり）と、夜景や暗い室内を背景にし、その背景を適当な濃度で再現しながら人物等の主要被写体をストロボ光で撮影する場合に対応する夜景シンクロ撮影モードの３つの撮影モードを備えている。
【０００４】
上記の日中撮影モード及び日中シンクロ撮影モードでは、高速なシャッタ速度と小絞りに設定され、夜景シンクロ撮影モードでは、低速なシャッタ速度と大絞りに設定される。具体的には、ＩＳＯ１６００の写真フイルムが用いられ、日中撮影モード及び日中シンクロ撮影モードでは、シャッタ速度が１／１２０秒に、絞り値がＦ１４に設定され、夜景シンクロ撮影モードでは、シャッタ速度が１／４５秒に、絞り値がＦ６．２に設定されている。これによれば、ＩＳＯ１００を基準としたＥＶ値での適正露出は、日中撮影モード及び日中シンクロ撮影モードがＥＶ１０．５、夜景シンクロ撮影モードがＥＶ６．８となる。
【０００５】
写真撮影のテクニックとして、フラッシュを使わずに撮影を行い、その場の雰囲気をより活き活きと撮影する手法がある。フラッシュを使用した写真は平面的で、見た目の印象を大きく変えることはできないが、主要被写体がはっきりと写るという特徴をもつ。これに対し、フラッシュを使用しない撮影は、奥行き感があり、その場の光を捉えた写真になるが、必ずしも主要被写体が明るく写らないという特徴をもつ。いずれの撮影手法にも一長一短はあるが、撮影者の撮影意図に応じて選択できることが好ましい。
【特許文献１】特開２０００−１６２７４１号公報
【発明の開示】
【発明が解決しようとする課題】
【０００６】
しかし、従来のレンズ付きフイルムユニットは、室内や夜間ではフラッシュを使用して撮影を行なうことを前提に設計されていたため、フラッシュを使用せずに室内や夜間の撮影を行なうと、良質な写真を得ることができなかった。
【０００７】
本発明は、上記問題を解決するためになされたもので、フラッシュを使用せずに室内や夜間での撮影を行なっても良質な写真を得ることのできるレンズ付きフイルムユニットを提供することを目的とする。
【課題を解決するための手段】
【０００８】
上記課題を解決するために、本発明のレンズ付きフイルムユニットは、未露光の写真フイルムが予め装填され、撮影機構と、フラッシュ装置とを組み込むとともに、写真フイルムとしてＩＳＯ１６００以上のフイルム感度を有する写真フイルムを装填し、ＩＳＯ１００に換算したときの適正露出ＥＶが、ＥＶ＜８となるフラッシュ不発光モードを設けている。
【０００９】
また、写真フイルムのフイルム感度は、ＩＳＯ３２００以上としている。
【００１０】
また、フラッシュ不発光モードにおける絞り値をＦ１としたときに、２．８≦Ｆ１≦８を満たすようにしている。
【００１１】
また、本発明の別のレンズ付きフイルムユニットは、ＩＳＯ１６００以上のフイルム感度を有する未露光の写真フイルムが予め装填され、撮影機構と、フラッシュ装置と、絞りを大絞りと小絞りとの間で切り替える絞り切替手段と、フラッシュ装置のオン／オフを切り替えるフラッシュ切替手段と、撮影モードを選択するために操作される撮影モード選択手段とを備えているとともに、撮影モード選択手段の操作に連動して絞り切替手段の切り替え動作を行い、絞り切替手段を小絞りに設定した小絞り状態と、大絞りに設定した大絞り状態との少なくとも２つの絞り状態の間で切り替えることができ、かつ小絞り状態と大絞り状態のそれぞれにフラッシュが発光しない撮影モードを少なくとも１つ設けている。
【００１２】
また、本発明の更に別のレンズ付きフイルムユニットは、ＩＳＯ１６００以上のフイルム感度を有する未露光の写真フイルムが予め装填され、撮影機構と、フラッシュ装置と、絞りを大絞りと小絞りとの間で切り替える絞り切替手段と、シャッタ速度を高速と低速との間で切り替えるシャッタ速度切替手段と、フラッシュ装置のオン／オフを切り替えるフラッシュ切替手段と、撮影モードを選択するために操作される撮影モード選択手段とを備えているとともに、撮影モード選択手段の操作に連動してシャッタ速度切替手段の切り替え動作を行い、絞り切替手段を小絞りに設定し、シャッタ速度切替手段を高速に設定した状態と、絞り切替手段を大絞りに設定し、シャッタ速度切替手段を低速に設定した状態との少なくとも２つの状態を切り替えることができ、かつそれぞれの状態にフラッシュが発光しない撮影モードを少なくとも１つ設けている。
【００１３】
また、写真フイルムのフイルム感度は、ＩＳＯ３２００以上としている。
【００１４】
また、絞り切替手段は、小絞り開口が形成され、撮影モード選択手段の操作に連動して撮影光路内に挿脱される絞り切替板から構成しており、この絞り切替板は、撮影光路内にあるときに絞りを小絞りに切り替え、撮影光路から退避したときに絞りを大絞りに切り替えるようにしている。
【００１５】
更に、前記絞り切替手段は、大絞りのときの絞り値をＦＬ、小絞りのときの絞り値をＦＳとしたときに、「２．８≦ＦＬ≦８」、「１３≦ＦＳ」を満たすようにしている。
【００１６】
また、前記シャッタ速度切替手段は、前記撮影モード選択手段の操作に連動してシャッタ羽根の動作軌跡上に挿脱されるシャッタ速度切替部材からなり、このシャッタ速度切替部材は、シャッタ羽根の動作軌跡上に挿入されたときにシャッタ羽根の動作を制限することによりシャッタ速度を高速にし、動作軌跡上から退避することにより低速に切り替えるようにしている。
【００１７】
更に、前記シャッタ速度切替手段は、低速時のシャッタ速度をＳ１、高速時のシャッタ速度をＳ２としたときに、「１／３０ｓｅｃ≧Ｓ１≧１／６０ｓｅｃ」、「１／８０ｓｅｃ≧Ｓ２」を満たすようにしている。
【００１８】
また、本発明の更に別のレンズ付きフイルムユニットは、ＩＳＯ１６００以上のフイルム感度を有する未露光の写真フイルムが予め装填され、撮影機構と、フラッシュ装置と、絞りを大絞りと小絞りとの間で切り替える絞り切替手段と、シャッタ速度を高速と低速との間で切り替えるシャッタ速度切替手段と、フラッシュ装置のオン／オフを切り替えるフラッシュ切替手段と、撮影モードを選択するために操作される撮影モード選択手段とを備えており、撮影モード選択手段の操作に連動して、絞り切替手段とシャッタ速度切替手段とフラッシュ切替手段の切替え動作を行い、絞り切替手段をＦ１３より暗い小絞り状態に設定し、シャッタ速度切替手段を１／８０秒より速い高速状態に設定し、フラッシュを不発光状態に設定する第１撮影モードと、絞り切替手段をＦ１３より暗い小絞り状態に設定し、シャッタ速度切替手段を１／８０秒より速い高速状態に設定し、フラッシュを発光状態に設定する第２撮影モードと、絞り切替手段をＦ８より明るい大絞り状態に設定し、シャッタ速度切替手段を１／６０秒より遅い低速状態に設定し、フラッシュを発光状態に設定する第３撮影モードの３つの撮影モードに切り替えられるようにしている。
【００１９】
また、本発明の更に別のレンズ付きフイルムユニットは、ＩＳＯ１６００以上のフイルム感度を有する未露光の写真フイルムが予め装填され、撮影機構と、フラッシュ装置と、絞りを大絞りと小絞りとの間で切り替える絞り切替手段と、シャッタ速度を高速と低速との間で切り替えるシャッタ速度切替手段と、フラッシュ装置のオン／オフを切り替えるフラッシュ切替手段と、撮影モードを選択するために操作される撮影モード選択手段とを備え、撮影モード選択手段の操作に連動して、絞り切替手段とシャッタ速度切替手段とフラッシュ切替手段の切替え動作を行い、絞り切替手段をＦ１３より暗い小絞り状態に設定し、シャッタ速度切替手段を１／８０秒より速い高速状態に設定し、フラッシュを不発光状態に設定する第１撮影モードと、絞り切替手段をＦ８より明るい大絞り状態に設定し、シャッタ速度切替手段を１／６０秒より遅い低速状態に設定し、フラッシュを発光状態に設定する第２撮影モードと、絞り切替手段をＦ８より明るい大絞り状態に設定し、シャッタ速度切替手段を１／６０秒より遅い低速状態に設定し、フラッシュを不発光状態に設定する第３撮影モードの３つの撮影モードに切り替えられるようにしている。
【００２０】
フラッシュ切替手段は、不発光状態のときにフラッシュ装置の電源をオフし、発光状態のときにフラッシュ装置の電源をオンさせるようにしている。
【００２１】
また、フラッシュ切替手段は、不発光状態のときにストロボ装置の発光部の前面を遮光し、発光状態のときに発光部の前面を開放するように構成してもよい。
【発明の効果】
【００２２】
本発明のレンズ付きフイルムユニットによれば、室内や夜間でのフラッシュを使用しない撮影に適した適正露出ＥＶ＜８を得ることができるので、フラッシュを使用せずに室内や夜間での撮影を行なっても良質な写真フイルムを得ることができる。
【発明を実施するための最良の形態】
【００２３】
本発明を実施したレンズ付きフイルムユニットの外観を図１に示す。レンズ付きフイルムユニット２は、各種撮影機構が組み込まれたユニット本体３と、このユニット本体３の製造時に装填されたフイルムパトローネと、ユニット本体３の外周に巻き付けられるように貼付されたラベル４とからなる。ラベル４には、ユニット本体３の各部を露呈させるための開口が設けられている。
【００２４】
ユニット本体３の前面には、撮影レンズ５，ファインダ６，ストロボ発光部７，撮影モード選択部８等が設けられている。ユニット本体３の上面には、シャッタボタン９，カウンタ表示窓１０，シグナル用開口１１等が設けられている。ユニット本体３の背面からは、撮影後のフイルム巻き上げに用いられる巻上げノブ１２の一部が露呈されている。
【００２５】
撮影モード選択部８は、ユニット本体３の前面に形成された操作開口１４と、この操作開口１４内で移動自在とされた略小判形状の操作部材１５とからなる。撮影モード選択部材としての操作部材１５は、図１に示されるように操作開口１４内の下方に位置する第１操作位置と、図２に示すように、第１操作位置から上方に向けてスライドされた第２操作位置と、図３に示すように、第２操作位置から図中時計方向に回動される第３操作位置との間で移動される。
【００２６】
レンズ付きフイルムユニット２は、操作部材１５が第１操作位置にある際に、ストロボＯＦＦ，小絞り及び高速シャッタの日中撮影モード（第１撮影モード）となる。また、図２に示されるように、操作部材１５が第２操作位置にある際には、ストロボＯＦＦ，大絞り及び低速シャッタのノンフラッシュ夜景撮影モード（第２撮影モード）となる。図３に示されるように、操作部材１５が第３操作位置にある際には、ストロボＯＮ，大絞り及び低速シャッタの夜景撮影モードとなる。この夜景撮影モードでは、レンズ付きフイルムユニット２の上面からシグナル部材１７が突出される。このシグナル部材１７はライトガイドであり、ストロボ充電の完了時に発光する発光素子の光をユニット本体３外にガイドして、撮影準備が完了したことを知らせる。
【００２７】
図４は、ユニット本体３の構成を示す分解斜視図である。ユニット本体３は、１３５タイプのフイルムパトローネ２２が装填される本体基部２３と、この本体基部２３の前面側に取り付けられるストロボ装置２４と、操作部材１５に連動して撮影モードの切り替えを行う連動機構２５と、本体基部２３の前面側及び背面側に取り付けられる前カバー２６及び後カバー２７とからなる。
【００２８】
フイルムパトローネ２２は、写真フイルム２２ａとパトローネ２２ｂとからなる。写真フイルム２２ａとしては、ＩＳＯ１６００以上の高感度のものが好ましく、ＩＳＯ３２００以上のものがより好ましい。この例では、写真フイルム２２ａは、フイルム感度がＩＳＯ３２００となっている。
【００２９】
ストロボ装置２４は、メインコンデンサ２８を含む各種電気部品が取り付けられてストロボ回路が形成されたプリント基板２９と、ストロボ放電管やリフレクタ，拡散板等からなるストロボ発光部７とから構成されている。また、プリント基板２９には、シャッタ羽根の開閉動作に同期してオンするシンクロスイッチ３０、撮影モード選択部８の操作部材１５の移動によってオン・オフされる充電スイッチを構成する金属接片３１、ストロボ装置２４の電源となる電池３２をストロボ回路に接続する電池接片３３等が取り付けられている。
【００３０】
ストロボ回路は、充電スイッチのオンによってメインコンデンサ２８を高電圧で充電し、この充電でメインコンデンサ２８に蓄積された電荷をシンクロスイッチ３０のオンによってストロボ放電管を介して放電する。この放電により、ストロボ発光が行われる。なお、充電スイッチがオフのときには、シンクロスイッチ３０がオンとなっても、メインコンデンサ２８が放電しないのでストロボ発光は行われない。
【００３１】
本体基部２３の前面中央には、遮光筒３５が設けられている。この遮光筒３５の周囲には、シャッタチャージ機構，シャッタ機構，フイルム巻上げ機構，フイルム巻止機構，フイルムカウント機構，撮影光学系，ファインダ光学系，露出切替装置を構成する絞り切替機構及びシャッタ速度切替機構等が組み込まれている。
【００３２】
図５は、遮光筒３５の周囲に組み込まれたシャッタ機構，絞り切替機構，シャッタ速度切替機構，撮影光学系等の構成を示す分解斜視図である。遮光筒３５の前面には、矩形状の露光開口３６が形成され、側方には、シャッタ羽根３７を揺動自在に支持するピン３８と、バネ３９の一端が掛けられるピン４０とが設けられている。
【００３３】
シャッタ機構を構成するシャッタ羽根３７は、ピン３８に挿通される穴４２ａが形成されたベース部４２と、露光開口３６の前方に配置されて該露光開口３６の開閉を行う羽根部４３と、これらベース部４２と羽根部４３と間の連結部４４とからなる。ベース部４２には、バネ３９の他端が掛けられるピン４２ｂと、シャッタ駆動レバー４５によって蹴飛ばされる突出部４２ｃと、シンクロ突起４２ｄとが設けられている。シャッタ羽根３７は、バネ３９の付勢力で露光開口３６を塞ぐ閉じ位置に保持される。
【００３４】
シャッタ駆動レバー４５は、シャッタ機構を構成する部品の一つであり、シャッタチャージ機構によって図中矢線Ａと逆方向に回動し、チャージ位置にセットされる。そして、シャッタボタン９の押圧操作に応答して、チャージ解除位置に向けて矢線Ａ方向に回動し、その際にシャッタ羽根３７の突出部４２ｃを蹴飛ばす。シャッタ駆動レバー４５に蹴飛ばされたシャッタ羽根３７は、バネ３９の付勢に抗して図中矢線Ｂ方向に回動し、露光開口３６を全開した後に、バネ３９の付勢によって閉じ位置に復帰する。シャッタ羽根３７は、露光開口３６を全開させる全開位置を経て、レンズホルダ５３の内面に設けられたストッパーピン５３ａ（図８，図９参照）に当接する移動端位置に達するまで回動可能になっている。
【００３５】
また、シャッタ羽根３７は、移動端位置への回動時に、シンクロ突起４２ｄでシンクロスイッチ３０の上部金属接片３０ａを押圧し、下部金属接片３０ｂに接触させる。この一対の金属接片３０ａ，３０ｂが接触して、シンクロスイッチ３０がオンとなる。
【００３６】
レンズホルダ５３上部には、ストップレバー４６を回動自在に支持するピン４７が形成されている。ストップレバー４６は、ピン４７に支持されるボス４８と、このボス４８の側面から突出された２本のアーム４９，５０とからなり、一方のアーム４９の先端にパッド４９ａが設けられている。
【００３７】
このストップレバー４６は、図６に示すように、パッド４９ａがシンクロスイッチ３０の下部金属接片３０ｂの自由端側の下方に挿入されて当接する高速シャッタ位置と、図７に示すように、パッド４９ａを下部金属接片３０ｂの下方から退避させた低速シャッタ位置との間で回動される。
【００３８】
図８に示すように、ストップレバー４６が高速シャッタ位置にあるときに、シャッタレリーズが行われると、シャッタ羽根３７のシンクロ突起４２ｄに押圧されたシンクロスイッチ３０の上部金属接片３０ａが下部金属接片３０ｂに接触し、ストロボ発光が行われる。このときに下部金属接片３０ｂはパッド４９ａに当接するため、シャッタ羽根３７は移動端位置への途中、すなわち全開位置で回動が阻止される。これにより、短時間でシャッタ羽根３７が閉じ位置に復帰する。これにより、例えば１／１２０秒の高速なシャッタ速度を得ることができる。
【００３９】
図９に示すように、ストップレバー４６が低速シャッタ位置にあるときには、シャッタ羽根３７の回動が大きくなり、移動端位置まで回動する。これは、金属接片３０ｂの弾性変形が自由になるためである。その結果、シャッタ羽根３７が閉じ位置に復帰するまでの時間が長くなって、シャッタ速度が遅くなる。これにより、１／４５秒の低速なシャッタ速度を得ることができる。
【００４０】
図５に示されるように、遮光筒３５の前方には、レンズホルダ５３が取り付けられる。レンズホルダ５３の前面中央には、筒形状の鏡筒５４が形成されている。鏡筒５４内には、開口５５が形成されており、鏡筒５４の側面には切欠５６が形成されている。また、鏡筒５４内には、撮影レンズ５を構成する第１レンズ５ａと第２レンズ５ｂとが収納される。これら第１レンズ５ａと第２レンズ５ｂとの間には、絞り切替機構を構成する大絞り板６０と、絞り切替板６１と、絞り切替板６１の挿入スペースを確保するスペーサ６４とが収められる。大絞り板６０は、円形の薄板からなり、中央に大径の大絞り開口６０ａが形成されている。なお、スペーサ６４の開口は大絞り開口６０ａよりも径が大きくなっている。
【００４１】
レンズホルダ５３の前面には、鏡筒５４に収められた撮影レンズ５等の部品と、鏡筒５４の外周に取り付けられた切替リング６５とが外れないように押さえるレンズ押さえ板６６６が取り付けられる。
【００４２】
絞り切替板６１は、一端に大絞り開口６０ａを塞ぐ大きさの小絞り部６１ａが設けられ、この小絞り部６１ａに大絞り開口６０ａよりも小径の小絞り開口６１ｂが形成されている。また、絞り切替板６１は、その他端に穴６１ｃと屈曲された長穴６１ｄとが設けられ、穴６１ｃは、レンズホルダ５３の鏡筒５４の近傍に形成されたピン６７に挿通され揺動自在となっている。絞り切替板６１は、小絞り開口６１ｂを撮影光軸上に配置する挿入位置と、小絞り部６１ａを切欠５６から鏡筒５４の外に退避させ、大絞り開口６０ａを露呈させる退避位置との間で回動する。小絞り部６１ａが鏡筒５４内に挿入されたときには、小絞り開口６１ｂにより絞り値はＦ１４となる。また、小絞り部６１ａが鏡筒５４の外に退避したときには、大絞り開口６０ａにより絞り値はＦ５．６となる。
【００４３】
鏡筒５４の外周には、切替リング６５が回動自在に嵌入される。切替リング６５には、バネ７３の一端が掛けられるバネ掛けピン６５ａと、絞り切替板６１の長穴６１ｄに挿入されるリンクピン６５ｂと、ストップレバー４６の他方のアーム５０が間に挟み込まれる一対の挟持ピン６５ｃと、背面側に突出された従動ピン６５ｄとが設けられている。
【００４４】
バネ７３の他端は、レンズホルダ５３の前面下部に形成されたピン７４に掛けられ、切替リング６５を図中矢線Ｃに付勢する。なお、バネ７３によって付勢された切替リング６５は、絞り切替板６１によって所定の位置に保持される。
【００４５】
操作部材１５には、開口１４からユニット本体３の内部が露呈されるのを防ぐ目隠し板７６が一体に形成されている。目隠し板７６の背面には、略円柱形状のボス７６ａが一体に形成されている。このボス７６ａの先端には、ボス７６ａの一部を切り欠いて平面状にした段差部７６ｂが形成されている。操作部材１５の背後には、操作部材１５の第１操作位置と第２操作位置との間の移動に連動して上下方向でスライドされる露出切替板６２と、操作部材１５の第２操作位置と第３操作位置との間の回動に連動して上下方向でスライドされるストロボ切替板６３とが配置されている。
【００４６】
露出切替板６２は略矩形の板からなり、ボス７６ａが挿入される円形の係合穴６２ａが形成されている。また、露出切替板６２の上辺には、切欠状の切替部６２ｂが設けられている。切替リング６５の従動ピン６５ｄは、切替部６２ｂの移動軌跡内に配されている。
【００４７】
ストロボ切替板６３は、略矩形の板からなり、前面にはボス７６ａの段差部７６ｂに対面する被押圧片６３ａが、背面にはストロボ装置２４の金属接片３１に対面するスイッチ片６３ｂが、上部にはシグナル部材１７を上下方向で移動させる係合部６３ｃが一体に形成されている。また、このストロボ切替板６３は、側面に突設されたバネ掛け片６３ｄに掛けられたバネ６３ｅによって下方に付勢されている。
【００４８】
図１０に日中撮影モードの状態を示す。操作部材１５が第１操作位置にある際には、露出切替板６２の切替部６２ｂは切替リング６５の従動ピン６５ｄに接触しない。そのため、切替リング６５は、絞り切替板６１によって初期位置に保持される。
【００４９】
切替リング６５が初期位置にある際には、一対の挟持ピン６５ｃは、ストップレバー４６を高速シャッタ位置に保持している。また、リンクピン６５ｂによって絞り切替板６１は、中絞り部６１ａが鏡筒５７内に挿入された挿入位置となる。これにより、小絞り開口６１ｂで光量が制限される小絞り状態となる。
【００５０】
図１１にノンフラッシュ夜景撮影モードの状態を示す。操作部材１５が第２操作位置にスライドされると、ボス７６ａに係合穴６２ａが係合された露出切替板６２も一緒に上方にスライドする。このときに、切替部６２ｂが従動ピン６５ｄを下方から押圧して切替リング６５を図中反時計方向に回動させる。この切替リング６５の回動により、リンクピン６５ｂに押圧された絞り切替板６１が図中時計方向に回動し、小絞り部６１ａが光軸上から退避して絞り板６０の絞り開口６０ａで光量が制限される大絞り状態となる。また、一対の挟持ピン６５ｃはストップレバー４６を回動させ、低速シャッタ位置にセットする。
【００５１】
図１２に夜景撮影モードの状態を示す。操作部材１５が第３操作位置に回動されると、段差部７６ｂによって被押圧片６３ａが押圧され、ストロボ切替板６３はバネ６３ｅの付勢に抗して上方にスライドする。このときに、スイッチ片６３ｂが金属接片３１を押圧してストロボ装置２４をオンさせる。なお、操作部材１５の回動は露出切替板６２には伝達されないため、露出切替板６２はスライドせず、大絞り低速シャッタの状態が維持される。操作部材１５を第３操作位置から第２操作位置に戻すと、ストロボ切替板６３がバネ６３ｅの付勢によって下方にスライドし、ストロボ装置２４がオフされる。
【００５２】
上記のように、このレンズ付きフイルムユニット２は、写真フイルム２２ａとしてフイルム感度がＩＳＯ３２００のものが用いられ、日中撮影モードではシャッタ速度が１／１２０秒，絞り値がＦ１４、ストロボ非発光となっている。また、ノンフラッシュ夜景撮影モードでは、シャッタ速度が１／４５秒，絞り値がＦ５．６となる。さらに、夜景撮影モードでは、シャッタ速度が１／４５秒，絞り値がＦ５．６であり、ストロボが発光する。
【００５３】
日中撮影モードでは、ＩＳＯ１００を基準としたＥＶ値で、適正ＥＶ値がＥＶ９．５となっている。同様に、ノンフラッシュ夜景撮影モード及び夜景撮影モードの適正ＥＶ値はＥＶ５．５となる。これにより、写真フイルム２２ａのラチチュードを考慮して、夜景のような暗いシーンから日中屋外の通常のシーンまで、広範囲の明るさで撮影を行うことができ、更に、室内や夜間の撮影においてストロボを使わない撮影を行なっても、良質な写真を得ることができる。なお、ＩＳＯ１００を基準とした適正露出値は、その適正露出値をEV、絞り値をF、シャッタ速度をT（秒）、フイルム感度をSとしたときに、「ＥＶ＝log2（Ｆ2／Ｔ）−log2（Ｓ／１００)」で表すことができる。
【００５４】
次に、上記実施形態の作用について説明する。晴天の屋外などのように明るい場所で撮影を行う場合には、図１に示されるように、操作部材１５を開口１４の下方にスライドして第１操作位置として日中撮影モードを選択する。
【００５５】
操作部材１５が第１操作位置にあるときには、図１０に示されるように、切替リング６５がバネ７３に付勢されて初期位置にあり、絞り切替板６１が挿入位置にセットされる。さらに、図６に示されるように、ストップレバー４６が高速シャッタ位置にセットされる。さらに、日中撮影モードでは、ストロボ装置２４の充電スイッチの金属接片３１は押圧されておらず、シグナル部材１７はユニット本体３の上面から突出されない。
【００５６】
この日中撮影モードでシャッタボタン９を押圧して撮影を行うと、シャッタ羽根３７が閉じ位置から回動を開始するが、ストップレバー４６がシンクロスイッチ３０を介してその回動を途中で阻止する。このため、シャッタ羽根３７は、図８に示されるように、全開位置まで回動してから閉じ位置に戻るので、シャッタ速度が速くなる。また、絞り切替板６１が光軸上にあるため、撮影レンズ５に入射した撮影光は、絞り開口６１ｂで制限される。さらに、充電スイッチがオフとなっているので、シンクロスイッチ３０がオンとなってもストロボ発光は行われない。このようにして、シャッタ速度が１／１２０秒、絞りがＦ１４、ストロボ非発光での撮影が行われる。
【００５７】
室内等の薄暗い場所でストロボを使用せずに撮影を行う場合には、図２に示されるように、操作部材１５を開口１４の上方にスライドして第２操作位置として室内撮影モードを選択する。
【００５８】
操作部材１５を第２操作位置に移動すると、ボス７６ａが露出切替板６２を上方にスライドさせ、切替部６２ｂにより従動ピン６５ｄを下方から押圧する。このため、バネ７３の付勢に抗して切替リング６５が初期位置から回動する。この切替リング６５の回動により、絞り切替板６１が退避位置に回動する。また、ストップレバー４６が、図７に示すように、低速シャッタ位置にセットされる。
【００５９】
このノンフラッシュ夜景撮影モードで撮影を行うと、１／４５秒の低速のシャッタ速度でのシャッタ開閉動作が行われる。また、撮影レンズ５に入射した被写体からの光は、大絞り開口６０ａを通して写真フイルムに露光を与えるため、大絞り開口６０ａ、すなわち絞り値Ｆ５．６で光量が制限されることになる。これにより、室内や夜間等の少ない光量であっても、奥行き感のある、その場の光を捉えた良質な写真を得ることができる。
【００６０】
操作部材１５が第３操作位置に回動されると、ボス７６ａの段差部７６ｂは被押圧片６３ａを押圧してストロボ切替板６３を上方にスライドさせる。このときに、スイッチ片６３ｂが金属接片３１を押圧してストロボ装置２４をオンさせる。また、係合部６３ｃがシグナル部材１７を上方に移動させ、ユニット本体３の上面から突出させる。
【００６１】
この夜景撮影モードで撮影を行うと、１／４５秒の低速のシャッタ速度でのシャッタ開閉動作が行われ、これに同期してストロボ発光が行われる。また、このようにシャッタ羽根３７の開閉動作が行われている間に、撮影レンズ５に入射した被写体からの光は、大絞り開口６０ａを通して写真フイルムに露光を与えるため、大絞り開口６０ａ、すなわち絞り値Ｆ５．６で光量が制限されることになる。ストロボ光は、被写体に向けて照射される。
【００６２】
上記のように、各撮影モードを選択することで、晴天時の屋外のような明るい場所、室内のような薄暗い場所、夜間屋外のようなくらい場所など、広範囲の明るさの下で撮影を良好に行うことができる。特に、室内や夜間でのノンフラッシュ撮影を行なうことができるため、より撮影テクニックを駆使した写真を撮影することができるようになる。
【００６３】
なお、上記実施形態では、ノンフラッシュ夜景撮影モードのときにストロボ装置を発光させないようにしたが、ノンフラッシュ夜景撮影モードのときにストロボ装置を発光させ、かつストロボ光が被写体に照射されないようにしてもよい。以下、この第２の実施形態について説明するが、上記第１の実施形態と同じ部品については、詳しい説明は省略する。
【００６４】
図１３に示す操作部材８０は、開口８１内で上下方向にスライドされる第１の操作部材８２と、第２の操作部材８３とからなる。第１の操作部材８２には、上方にスライドされたときに従動ピン６５ｄを押圧して切替リング６５を回動させる押圧レバー８４が一体に設けられている。第２の操作部材８３には、上方にスライドされたときにストロボ発光部７の前面を覆い隠す遮光板８５が一体に設けられている。このレンズ付きフイルムユニットは、第１の操作部材８２と第２の操作部材８３とが下方にあるときに、小絞り、高速シャッタ、ストロボＯＦＦの日中撮影モードにセットされる。
【００６５】
図１４に示すように、第１の操作部材８２を上方にスライドさせると、押圧レバー８４が従動ピン６５ｄを押圧して切替リング６５を回動させ、大絞り、低速シャッタ、ストロボＯＮの夜景撮影モードにセットされる。
【００６６】
また、図１５に示すように、第２の操作部材８３を上方にスライドさせると、遮光板８５がストロボ発光７の前面を覆い隠して被写体にストロボ光が照射されないようにし、大絞り、低速シャッタ、ストロボＯＦＦのノンフラッシュ夜景撮影モードにセットされる。これにより、夜景撮影モードを有するレンズ付きフイルムユニットに、遮光板８５を追加するだけでノンフラッシュ夜景撮影モードを設けることができるため、部品の共通化を図ることができ、ローコストに機種バリエーションを増やすことができる。また、ノンフラッシュ夜景撮影モードでは、撮影が行なわれたのか否か分かりにくい場合もあるが、遮光板８５から僅かに漏れるストロボ光によって、撮影を確認することができる。
【００６７】
なお、上記各実施形態では、大絞り状態、低速シャッタ状態、ストロボ発光の夜景撮影モードを設けたが、これに代えて、小絞り状態、高速シャッタ状態、ストロボ発光の日中シンクロ撮影モードを設けてもよい。
【図面の簡単な説明】
【００６８】
【図１】本発明を用いたレンズ付きフイルムユニットの日中撮影モードでの外観を示す斜視図である。
【図２】レンズ付きフイルムユニットのノンフラッシュ夜景撮影モードでの外観を示す斜視図である。
【図３】レンズ付きフイルムユニットの夜景撮影モードでの外観を示す斜視図である。
【図４】レンズ付きフイルムユニットの構成を示す分解斜視図である。
【図５】絞り及びシャッタ速度切替機構の構成を示す分解斜視図である。
【図６】ストッパーレバーの高速シャッタ位置を示す説明図である。
【図７】ストッパーレバーの低速シャッタ位置を示す説明図である。
【図８】高速シャッタ状態でのシャッタレリーズを示す説明図である。
【図９】低速シャッタ状態でのシャッタレリーズを示す説明図である。
【図１０】日中撮影モードでの絞り及びシャッタ速度切替機構の状態を示す説明図である。
【図１１】ノンフラッシュ夜景撮影モードでの絞り及びシャッタ速度切替機構の状態を示す説明図である。
【図１２】夜景撮影モードでの絞り及びシャッタ速度切替機構の状態を示す説明図である。
【図１３】本発明の別の実施形態の日中撮影モードでの絞り及びシャッタ速度切替機構の状態を示す説明図である。
【図１４】本発明の別の実施形態の夜景撮影モードでの絞り及びシャッタ速度切替機構の状態を示す説明図である。
【図１５】本発明の別の実施形態のノンフラッシュ夜景撮影モードでの絞り及びシャッタ速度切替機構の状態を示す説明図である。
【符号の説明】
【００６９】
２  レンズ付きフイルムユニット
３  ユニット本体
７  ストロボ発光部
８  撮影モード選択部
１５  操作部材
３７  シャッタ羽根
４６  ストップレバー
６０  大絞り板
６１  絞り切替板
６２  露出切替板
６３  ストロボ切替板
６５  切替リング
８２  第１の操作部材
８３  第２の操作部材
８５  遮光板
【図１】
2006276227.tif 000003
【図２】
2006276227.tif 000004
【図３】
2006276227.tif 000005
【図４】
2006276227.tif 000006
【図５】
2006276227.tif 000007
【図６】
2006276227.tif 000008
【図７】
2006276227.tif 000009
【図８】
2006276227.tif 000010
【図９】
2006276227.tif 000011
【図１０】
2006276227.tif 000012
【図１１】
2006276227.tif 000013
【図１２】
2006276227.tif 000014
【図１３】
2006276227.tif 000015
【図１４】
2006276227.tif 000016
【図１５】
2006276227.tif 000017